(57)【要約】      （修正有）【課題】温度感知器と内容器との接触状態が確実で温度感知器の接触効率も良く、無駄な電力供給を必要とすることもない。又、構造簡単で組立作業も極めて容易に行うことができる。【解決手段】遮蔽板７の透孔７３を十字状に切り欠いてなる一方、感知器本体５６及び感知器本体を押さえるバネ５８を挿入する内部中空な筒状部材５７を設け、筒状部材５７の上端外周に環状フランジ６２を設け、環状フランジ上端で中空周りの対角線上にそれぞれ爪６３を突設し、感知器本体５６及びバネ５８を挿入した筒状部材５７を遮蔽板７の下側より十字状の透孔７３に差し込んで、環状フランジ６２を透孔７３の下側面に当接し、透孔７３を貫通したそれぞれの爪６３を透孔７３の十字状の各外側突端部４６に係止すると共に、バネ５８を筒状部材５７内より透孔７３の隣り合わせの十字状端の交差する各内側突端部４７に当接する構成としている。【選択図】図４
2005205053.tif 000002
【特許請求の範囲】
【請求項１】
液体を収容する内容器（２）と、内容器（２）内の液体を加温するヒータ（３）と、内容器（２）を囲む外装体（４）と、外装体（４）の上端にあって内容器（２）の上部開口を開閉する蓋体（５）と、内容器（２）の底部を覆う底カバー体（８）と、内容器（２）内の液体を外部へ吐出する吐出機構（１１）と、内容器（２）内の液温を制御する電子回路機構（１４）と、液温を感知して電子回路機構（１４）に伝える温度感知器（１５）とを備え、ヒータ（３）の下方への放熱を防ぐ遮蔽板（７）を設け、遮蔽板（７）に温度感知器用の透孔（７３）を設け、この透孔（７３）に温度感知器（１５）を挟み込んで内容器の底面に温度感知器の感知面を当接してなる電気保温ポット（１）に於いて、上記遮蔽板（７）の透孔（７３）を十字状に切り欠いてなる一方、感知器本体（５６）及び感知器本体を押さえるバネ（５８）を挿入する内部中空な筒状部材（５７）を設け、筒状部材（５７）の上端外周に環状フランジ（６２）を設け、環状フランジ上端で中空周りの対角線上にそれぞれ爪（６３）を突設し、感知器本体（５６）及びバネ（５８）を挿入した筒状部材（５７）を遮蔽板（７）の下側より十字状の透孔（７３）に差し込んで、環状フランジ（６２）を透孔（７３）の下側面に当接し、透孔（７３）を貫通したそれぞれの爪（６３）を透孔（７３）の十字状の各外側突端部（４６）に係止すると共に、バネ（５８）を筒状部材（５７）内より透孔（７３）の隣り合わせの十字状端の交差する各内側突端部（４７）に当接することを特徴とした電気保温ポット。
【請求項２】
上記感知器本体（５６）の外周壁には、環状突起（６１）を設け、筒状部材（５７）の下端内側には、感知器本体の外周壁を貫通し、環状突起（６１）を係止する環状リブ（５９）を設けている請求項１記載の電気保温ポット。
【発明の詳細な説明】
【技術分野】
【０００１】
本発明は、ヒータにて内容器内の液体を暖める電気保温ポットに関するものである。
【背景技術】
【０００２】
従来、電気保温ポットとしては、内容器を囲んだ外装体を設け、内容器の底部外壁に内容器内の液体を加温するヒータを固着し、ヒータの下面にヒータの下方への放熱を阻止する遮熱板を設け、遮熱板の下方で外装体の下端を覆う底部材を設けた構造の電気湯沸かし器が特許第３２７４８０１号公報（特許文献１  図３及び図５参照）として存在する。
【０００３】
【特許文献１】特許第３２７４８０１号（図３及び図５）
【０００４】
以下、特許文献１の図３及び図５により従来の電気湯沸かし器について説明する。
この特許文献１の電気湯沸かし器は、内容器内の液体を保温するのみに限らず沸騰をもする構造のものではあるが、内容器２内の液温を制御する電子回路機構９と、内容器２内の液温を感知して電子回路機構９に伝える温度感知器であるサーミスタ１０とを設け、遮熱板１１のほぼ中央にサーミスタ用孔２４を設ける一方、サーミスタ取付金具１２を設け、サーミスタ１０の感知面と内容器２の底面とを接触させた状態で、サーミスタ取付金具１２両端を遮熱板１１に係止して、サーミスタ１０を固定保持した構成としている。
【発明の開示】
【発明が解決しようとする課題】
【０００５】
ところが、この電気湯沸かし器では、サーミスタ取付金具１２の構造が複雑で加工も困難であり、又温度感知器であるサーミスタ１０と内容器２とは、サーミスタ取付金具のバネ性によって安定接触させるために、サーミスタ取付金具のわずかしかないバネ効果の有効範囲が狭く、サーミスタと内容器との接触効率が悪いという問題点があった。
【０００６】
又、内容器２の下方に遮熱板１１を取付け、サーミスタ１０と内容器２とが接触した後でなければ、サーミスタ取付金具１２を遮熱板１１に取付けることができないために、遮熱板１１への前加工が全く出来ず、しかも狭い電気湯沸かし器１本体の底部でのサーミスタ取付金具１２の取付け作業が非常に煩わしく、簡単に取付け作業を行うことができないという問題点があった。
【課題を解決するための手段】
【０００７】
本発明は、液体を収容する内容器２と、内容器２内の液体を加温するヒータ３と、内容器２を囲む外装体４と、外装体４の上端にあって内容器２の上部開口を開閉する蓋体５と、内容器２の底部を覆う底カバー体８と、内容器２内の液体を外部へ吐出する吐出機構１１と、内容器２内の液温を制御する電子回路機構１４と、液温を感知して電子回路機構１４に伝える温度感知器１５とを備え、ヒータ３の下方への放熱を防ぐ遮蔽板７を設け、遮蔽板７に温度感知器用の透孔７３を設け、この透孔７３に温度感知器１５を挟み込んで内容器の底面に温度感知器の感知面を当接してなる電気保温ポット１に於いて、上記遮蔽板７の透孔７３を十字状に切り欠いてなる一方、感知器本体５６及び感知器本体を押さえるバネ５８を挿入する内部中空な筒状部材５７を設け、筒状部材５７の上端外周に環状フランジ６２を設け、環状フランジ上端で中空周りの対角線上にそれぞれ爪６３を突設し、感知器本体５６及びバネ５８を挿入した筒状部材５７を遮蔽板７の下側より十字状の透孔７３に差し込んで、環状フランジ６２を透孔７３の下側面に当接し、透孔７３を貫通したそれぞれの爪６３を透孔７３の十字状の各外側突端部４６に係止すると共に、バネ５８を筒状部材５７内より透孔７３の隣り合わせの十字状端の交差する各内側突端部４７に当接する構成としている。
【０００８】
又、感知器本体５６の外周壁には、環状突起６１を設け、筒状部材５７の下端内側には、感知器本体の外周壁を貫通し、環状突起６１を係止する環状リブ５９を設けている構成としている。
【発明の効果】
【０００９】
本発明は、従来の問題点を解決したものであって、温度感知器と内容器との接触状態が確実で温度感知器の接触効率も良く、無駄な電力供給を必要とすることもない。又、構造簡単で組立作業も極めて容易に行うことができる。
【発明を実施するための最良の形態】
【００１０】
電気保温ポット１は、上下端開口の内容器２と、内容器２の底部外壁にあって内容器内の液体を温めるヒータ３と、内容器２を囲む外装体４と、外装体４の上端中央に着脱自在に装着し、内容器２の上端開口を開閉する蓋体５と、外装体４内下端に装着し、内容器２を支える底板６と、中央のヒータ３を支え、下部への放熱を遮蔽する金属製の遮蔽板７と、この遮蔽板７と間隔を隔てて外装体４の下部前面を残して外装体下端面を覆う底カバー体８と、底カバー体８に装着し、外装体下部前方との間に空間部２９を有する台座９と、内容器２の下端開口に連通のジョイントパイプ１０に連通し、内容器内の液体を台座９の空間部２９に向けて吐出する吐出機構１１と、内容器内の液量を外装体の前面上下にて表示する液量表示機構１２と、外装体の前面で上部前面より下部前面にあって、吐出機構１１及び液量表示機構１２を覆う前カバー１３と、内容器２内の液温を制御する電子回路機構１４と、液温を感知して電子回路機構１４に伝える温度感知器１５とから構成されている。３２は、ジョイントパイプ１０の下端にあって、ジョイントパイプ１０からのドレンを台座９の空間部２９に向けて排出するドレン排出台である。
【００１１】
内容器２は、ガラス製又はステンレス等の金属製の一重の容器で有底筒状に形成されており、上端を内容器内に手を入れて掃除しやすいような広口とし、下端を細口とし、下方に延びた細口筒体５４として一体成形している。
内容器２は、ガラス製のときには内壁に銀蒸着を施すようにしてもよい。この内容器２の細口筒体５４には、ゴム等の弾性材料からなる中空のジョイントパイプ１０を連通している。
【００１２】
ヒータ３は、偏平なリング状にして、内容器２の細口筒体５４周りに貼り付けられており、内容器内の液体を温めるだけで、沸騰させるものではない。ヒータ３と内容器２の底面との間には、耐熱性、熱伝導性の良好な極薄板状のシート５５を貼り付けている。このシート５５は、ゴム材質等の弾性材によって、ドーナッ状に形成されている。
【００１３】
このシート５５の貼り付けによって、内容器２の底面が均一な平坦面でなくても、ヒータ３の熱をシート５５を介して内容器２の貼り付け底面全体に十分伝えることができ、無駄な放熱を防ぐことができる。このシート５５は内容器２の底面から離脱しないように、接着剤等によって貼り付けてもよい。又、シート５５上に貼り付けるヒータ３も同様にシート上から離脱しないように、接着剤等によって貼り付けてもよい。
【００１４】
６８は、ヒータ３をシート５５に押さえつける押え金具であって、ステンレス等の金属材料にて薄板で、中央開口で片側切り欠いた半円弧状に形成している。この押え金具６８は、図３に示すように、左右両側に保持爪６９，６９を一体成形しており、この保持爪６９が後述の遮蔽板７の前方切欠溝７１を貫通して、その先端を折り曲げられ前方切欠溝７１の左右両側壁上に係止している。
【００１５】
外装体４は、合成樹脂材料にて内容器２の周側壁を覆う胴部と、内容器２の上端部を覆う肩部とを一体成形しており、上端の中央を段状に下げて、内容器２の上端開口とシールパッキンを介して当接している。この外装体４の上端中央の段状内側壁には、ネジを刻設し後述の蓋体５を螺着するようにしている。外装体４は、内容器２と所定の間隔を隔てており、下部内周壁に適宜の間隔を隔てて後述の底板６を係止する複数の係止片６４、６４を設けている。
【００１６】
内容器２を支える底板６は、図２に示すように、中央を大きく開口し、後方下端に後述の台座９を支える支持台６５と、前方左右両側に下方に向けて垂下し、後述の前カバー１３の嵌合片を引っ掛ける垂下片２３，２３と、後述の底カバー体８との間に大きな隙間を設けるための支柱６６、６６とを一体成形している。
【００１７】
この底板６の垂下片２３の先端には、それぞれ前後方向に貫通した嵌合溝２８を設けている。底板６の外周壁には、外装体４の係止片６４を嵌め込む複数の係合溝６７を設けている。この底板６を外装体４の係止片６４に係合して内容器２を支えた後に、底板６と外装体４と内容器２との空所に発砲ウレタンを充填して、保温性、耐久性を向上し、しかも外装体４に係合する底板６の固定を確かなものとしている。
【００１８】
遮蔽板７は、ステンレス等の金属材料にて薄板で中央開口のほぼ円盤状に形成しており、底板６にビス止めされて、ヒータ３の熱が下方に向けて放熱しないようにしている。
【００１９】
遮蔽板７は、図３に示すように、前方左右両側に底板６の垂下片２３を貫通する左、右貫通孔７０、７０と、その後方の前方切欠溝７１と、中央開口の後方に後方切欠溝７２と、中央開口の右側に温度感知器１５を係止する台形状で十字状に切り欠いて貫通した透孔７３とを設けている。
【００２０】
この十字状に切り欠いた透孔７３は、後述の温度感知器１５の筒状部材５７の各爪６３が遮蔽板７の下側より押し上げられて遮蔽板の上側に無理嵌めされる四つの外側突端部４６と、隣り合う外側突端部４６間の交差する内側突端部４７とを交互に設けている。この透孔７３は、一字状に切り欠いてもよいが、後述の筒状部材５７の係止による安定性と筒状部材内より一方端が支えられるバネ５８の係止による安定性を考慮すると十字状に切り欠いた方がより効果的である。
【００２１】
この前方切欠溝７１と後方切欠溝７２とは、それぞれ左右の短手方向と前後の長手方向の一方を切り落とし、長手方向の他方を下方に折り曲げた折り曲げ片７４、７６としている。この折り曲げ片７４、７６には、それぞれゴム等の弾性材料からなる縦断面Ｕ字状の挟着片７５を嵌め込んで、押え金具６８のヒータ３側と反対の側面に当接するようにしている。
【００２２】
この遮蔽板７を底板６にビス止めすると、底板６に係止された押え金具６８がヒータ３をシート５５に押さえつける。このとき押え金具６８の裏側に当接した挟着片７５の弾性力によって、押え金具６８が間接的なクッション性を有することとなり、ヒータ３をシート５５に確実に押さえつけることとなる。
【００２３】
７７は、ジョイントパイプ１０を支える固定金具であって、遮蔽板７の前方切欠溝７１の折り曲げ片７４と反対側の長手方向の面にビス止めされている。このジョイントパイプ１０は、ゴム等の弾性材料にて内部中空でＬ字形に形成されており、後端を内容器２の細口筒体５４外周に密に嵌合し、先端部の後方外周を固定金具７７の中央開口に貫通して前方に延びている。このジョイントパイプ１０は、細口筒体５４外周の嵌合と固定金具７７の支えによって、確実に固定保持されることとなる。
【００２４】
底カバー体８は、合成樹脂材料にて形成しており、遮蔽板７との間の上下に間隔を隔てて外装体４の下部前面を除いて外装体下端面を覆っている。この底カバー体８と遮蔽板７との間に温度ヒューズ、電子回路を備えた基板、プラグ受け等を配置している。この底カバー体８は、後述の台座９と一体形成しても何ら支障をきたすものではない。
【００２５】
台座９は、合成樹脂材料にて形成しており、底カバー体８の外周端に装着して、外装体４下部前方との間に空間部２９を備えている。５０は液体を受けるコップである。
【００２６】
蓋体５は、外装体４の段状に刻設されたネジに螺着し、中央を上下に開口する下蓋１６と、下蓋１６の上面を覆い、中央を上下に広い開口とする上蓋１７と、下蓋１６の下端中央より垂下した注水パイプ１８と、注水パイプ１８と連通する漏斗状の液体路を備え、上蓋１７と下蓋１６との間に設けて、操作レバー１９にて回動するガイド板２０と、ガイド板２０に伴って摺動し、液体路を開閉する開閉板２１とを設けている。
【００２７】
この蓋体５は、外装体４の段状内に螺着したままで、操作レバー１９を操作し開閉板２１を移動して開放し、上蓋１７の中央の開口よりガイド板２０の液体路及び下蓋１６の中央の開口並びに注水パイプ１８内を連通して、上蓋１７の上方より内容器内に液体を供給することができる。
【００２８】
また、液体の供給が終了すれば、操作レバー１９を逆方向に操作して、開閉板２１を逆方向に移動し閉鎖する。これにより上蓋１７の中央の開口とガイド板２０の液体路とが確実に遮蔽され、液体の供給を阻止することができる。この蓋体５は、螺着したままで内容器内に液体を供給する構造としたが、特にこれに限定されるものではなく、通常の着脱式の栓構造であっても何ら支障をきたすものではない。
【００２９】
吐出機構１１は、ジョイントパイプ１０に連通する液通路を備えたユニットパイプ３１と、ユニットパイプ３１内で液通路を閉鎖、開放する弁体と、弁体を外部前面より操作するレバーと、レバーを摺動する摺動板３４と、弁体を復帰するスプリングと、液通路と連通し液体を外部へ吐出する吐出パイプ３５と、外装体４の前方上部に設けて摺動板３４を操作するタッチ板３７と、タッチ板３７の駆動を摺動板３４に伝える操作軸３８とから構成されている。
【００３０】
タッチ板３７は、後述の前カバー１３の上方にあって押圧自在とし、内壁側にタッチ板復帰用のバネを設けている。
操作軸３８は、一本の金属製棒状体からなっており、摺動板３４に当接する底体と、底体の左右両側より上方に延びた左、右垂直体と、左、右垂直体のそれぞれが相対して向き合った左、右係体とを一体成形し、この左、右垂直体がタッチ板３７に係止されている。
吐出機構１１のユニットパイプ３１及び摺動板３４とは、後述の前カバー１３の内側に突出した保持板３６に固定されている。
【００３１】
この吐出機構１１は、タッチ板３７に指を掛け、タッチ板３７を下方に押圧すると、タッチ板３７に連動した操作軸３８を降下する。この操作軸３８の降下により摺動板３４を介してレバーを後方に押圧する。このレバーの押圧によりユニットパイプ３１内の弁体を後方に押圧して、ユニットパイプ３１内の液通路と吐出パイプ３５とを連通し、内容器２内の液体を吐出パイプ３５先端より吐出することとなる。
【００３２】
又、タッチ板３７に掛けた指を離すと、タッチ板３７に設けたバネにより、タッチ板３７が元の位置に復帰し、同時に操作軸３８も上昇復帰する。この操作軸３８の上昇により摺動板３４を介してレバーを復帰の状態とする。更に、ユニットパイプ３１内の弁体をスプリングを介して前方に復帰させ、液通路と吐出パイプ３５との連通を閉鎖し液体の吐出を阻止する。
【００３３】
液量表示機構１２は、後述の前カバー１３前方の透視窓４４より目視でき、内容器内の液量を液面で示す液量パイプ３９と、液量パイプ３９の後側を覆うカバー部材２２と、一端を液量パイプ３９の下端に連通し、他端をユニットパイプ３１の液通路と連通する下部ジョイントパイプ４１と、一端を液量パイプ３９の上端に連通し、他端を内容器２の上端開口の高さ位置近くまで延ばして自由端とした上部ジョイントパイプ４０とからなっている。
【００３４】
この液量パイプ３９に連通した下部ジョイントパイプ４１の他端は、ユニットパイプ３１内の弁体摺動部分よりも後方でジョイントパイプ１０内に嵌合されるユニットパイプ３１の後方よりも前方の液通路と連通している。これにより前カバー１３と共に着脱する吐出機構１１に同調して液量表示機構１２も前カバー１３と共に液体保温容器１の本体より着脱することとなる。
【００３５】
前カバー１３は、図１に示すように、上部ジョイントパイプ４０を支える上部突起片２５と、下部ジョイントパイプ４１を支える下部突起片２６と、吐出機構１１のユニットパイプ３１及び摺動板３４とを固定する保持板３６と、下部内側の左右に嵌合部４３、４３とを一体成形している。
４４は、液量パイプ３９を目視するために切り欠いた透視窓である。
【００３６】
前カバー１３の嵌合部４３は、前カバー１３の底部より一旦上昇して後方に延び彎曲して前方に延びた挿入片と、この挿入片より下方に垂下して前方に延びた押圧片とを一体成形して、押圧片を前カバー１３の底部と別離としている。挿入片の下面壁には、底板６の嵌合孔２８に挿入片が挿入された後に、嵌合孔２８より挿入片が抜き出るのを阻止する爪部を設けている。押圧片は、前カバー１３の底部と別離しているので、弾性を有することとなって、挿入片の下側の壁を押し上げることができる。
【００３７】
前カバー１３を液体保温容器１の本体より取り外すには、嵌合部４３の押圧片を上方に押して前方へ引くと弾性により挿入片の爪部が押し上げられ、底板６の嵌合孔２８より挿入片がはずれて前カバー１３を前方へ引き出せ、前カバー１３を工具無しに極めて簡単に取り外すことができる。
【００３８】
勿論、前カバー１３を前方へ引き出せば、ユニットパイプ３１の後端部がジョイントパイプ１０よりはずれ、この前カバー１３と共に吐出機構１１も液体保温容器１の本体より極めて簡単に取り外すことができる。更に液量表示機構１２も吐出機構１１と同様に前カバー１３と共に液体保温容器１の本体より取り外すことができる。
【００３９】
又、逆に前カバー１３を液体保温容器１の本体に装着するには、嵌合部４３の挿入片を底板６の嵌合孔２８に向けて差し込むと、挿入片の爪部が嵌合孔２８の後方より嵌合孔２８を形成する下壁に係止されて、前カバー１３を工具無しに確実、簡単に装着することができる。
【００４０】
勿論、嵌合部４３の挿入片を底板６の嵌合孔２８に向けて差し込むと同時に吐出機構１１のユニットパイプ３１の後端部をジョイントパイプ１０内に差し込むことにより、吐出機構１１を液量表示機構１２と共に液体保温容器１の本体に装着することができる。このジョイントパイプ１０内に差し込まれる吐出機構１１のユニットパイプ３１の後端部とジョイントパイプ１０とは常に嵌合時の位置決めがなされている。
【００４１】
内容器２内の液温を制御する電子回路機構１４は、温度ヒューズ、電子回路を備えた基板、外部電源をプラグを介して供給するプラグ受け、それらを結ぶ配線とからなっており、底板６と底カバー体７との間に配置されている。電子回路を備えた基板は、水滴がかからないように基板用ボックス内に納められている。
【００４２】
液温を感知して電子回路機構１４に伝える温度感知器１５は、図４に示すように、リード線６０を備えた感知器本体５６と、感知器本体５６を内部に挿入する筒状部材５７と、感知器本体５６と共に筒状部材５７内に挿入されるバネ５８とからなっている。
【００４３】
感知器本体５６は、金属製キャップ体の先端部内に感知部を内蔵し、先端部底面を感知面としている。この感知器本体５６の上方の外周壁には、環状突起６１を設けている。
バネ５８は、二つのリード線６０を通り越して感知器本体５６の環状突起６１上に載置されている。
【００４４】
筒状部材５７は、図４及び図５に示すように、内部中空で上端外周に環状フランジ６２を設け、環状フランジ６２上端で筒状部材上端の中空周りの対角線上に四つに分割された爪６３、６３を環状に設けている。
【００４５】
この爪６３は、遮蔽板７に設けた十字状の透孔７３を遮蔽板の下側より透孔７３の外側突端部４６に貫通して、この外側突端部４６の端壁上に無理嵌めされている。この爪６３の無理嵌めと同時に、筒状部材５７の環状フランジ６２の上面が透孔７３周下端面に接触することとなる。
【００４６】
筒状部材５７の下端は、図５に示すように、内部中空と連通して貫通しており、感知器本体５６の外周面を挿通し、感知器本体５６の環状突起６１を載置する環状リブ５９を設けている。
【００４７】
この筒状部材５７の内部中空の内径は、感知器本体５６の環状突起６１がスムーズに挿入できる大きさである。
バネ５８は、筒状部材５７の内部中空に挿入できる外径で、遮蔽板７の十字状の透孔７３の仮想内径７８よりも大きな内径を有している。
【００４８】
遮蔽板７への温度感知器１５の取付けは、筒状部材５７の上方より筒状部材５７の内部中空内に感知器本体５６とバネ５８を挿入した後、遮蔽板７の下側より十字状の透孔７３に向けて押し上げ、筒状部材５７の各爪６３を透孔７３の各外側突端部４６に沿って押し上げそれぞれ無理嵌めする。
【００４９】
これにより筒状部材５７の環状フランジ６２の上面が透孔７３の周下端面に接触することとなると共に筒状部材５７内のバネ５８の一方端は、感知器本体５６の環状突起６１上に接触し、他方端は、筒状部材５７内より十字状の透孔７３を形成する内側突端部４７下面に接触することとなる。このバネ５８によって感知器本体５６は、押し下げられ内容器２の底面に確実に当接することとなり温度感知器の接触効率も非常に良好となる。
【００５０】
以上本発明の代表的と思われる実施例について説明したが、本発明は必ずしもこれら実施例構造のみに限定されるものではなく、例えば、内容器内の液体を保温するのみに限らず沸騰をもする構造のものでも本発明にいう前記の構成要件を備え、かつ、本発明にいう目的を達成し、本発明にいう効果を有する範囲内において適宜改変して実施することができるものである。
【図面の簡単な説明】
【００５１】
【図１】本発明実施例の縦断面図。
【図２】本発明実施例の底部を示す分解斜視図。
【図３】本発明実施例の遮蔽板を示す分解斜視図。
【図４】本発明実施例の要部を示す分解斜視図。
【図５】本発明実施例の要部を示す縦断面図。
【符号の説明】
【００５２】
１…電気保温ポット
２…内容器
３…ヒータ
４…外装体
５…蓋体
７…遮蔽板
８…底カバー体
９…台座
１０…ジョイントパイプ
１１…吐出機構
１２…液量表示機構
１３…前カバー
１４…電子回路機構
１５…温度感知器
４６…外側突端部
４７…内側突端部
５６…感知器本体
５７…筒状部材
５８…バネ
６３…爪
７３…透孔
【図１】
2005205053.tif 000003
【図２】
2005205053.tif 000004
【図３】
2005205053.tif 000005
【図４】
2005205053.tif 000006
【図５】
2005205053.tif 000007